【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
遊技として、少なくとも通常遊技と、該通常遊技より有利な有利遊技が存在する遊技機において、
外周面に複数種類の図柄が配置された複数の回胴と、
遊技毎に、開始操作により抽選条件が成立すると、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
操作時間当てゲームの正解時間範囲を決定する決定手段と、
計時条件の成立から、前記停止スイッチが操作されるまでの操作時間を計時する計時手段と、
を具備し、
前記遊技実行手段は、前記操作時間当てゲームを実行した場合、前記操作時間と前記正解時間範囲との関係が付与条件を満たすとき、前記有利遊技を行う権利を付与可能であること、
を特徴とする遊技機。
【請求項２】
遊技として、少なくとも通常遊技と、該通常遊技より有利な有利遊技が存在する遊技機において、
外周面に複数種類の図柄が配置された複数の回胴と、
遊技毎に、開始操作により抽選条件が成立すると、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
操作時間当てゲームの正解時間範囲を決定する決定手段と、
計時条件の成立から、前記停止スイッチが操作されるまでの操作時間を計時する計時手段と、
を具備し、
前記遊技実行手段は、前記有利遊技において前記操作時間当てゲームを実行した場合、前記操作時間と前記正解時間範囲との関係が付与条件を満たすとき、前記有利遊技を行う権利を付与可能であること、
を特徴とする遊技機。
【請求項３】
遊技として、少なくとも通常遊技と、該通常遊技より有利な有利遊技が存在する遊技機において、
外周面に複数種類の図柄が配置された複数の回胴と、
遊技毎に、開始操作により抽選条件が成立すると、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
操作時間当てゲームの正解時間範囲を決定する決定手段と、
計時条件の成立から、前記停止スイッチが操作されるまでの操作時間を計時する計時手段と、
を具備し、
前記遊技実行手段は、前記有利遊技において前記操作時間当てゲームを実行した場合、前記操作時間と前記正解時間範囲との関係が付与条件を満たすとき、前記有利遊技の上乗せ量を付与可能であること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、遊技として、少なくとも通常遊技と、該通常遊技より有利な有利遊技が存在する遊技機において、外周面に複数種類の図柄が配置された複数の回胴と、遊技毎に、開始操作により抽選条件が成立すると、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、操作時間当てゲームの正解時間範囲を決定する決定手段と、計時条件の成立から、前記停止スイッチが操作されるまでの操作時間を計時する計時手段と、を具備し、前記遊技実行手段は、前記操作時間当てゲームを実行した場合、前記操作時間と前記正解時間範囲との関係が付与条件を満たすとき、前記有利遊技を行う権利を付与可能であることを特徴とする。
【手続補正３】
【補正対象書類名】明細書
【補正対象項目名】００１４
【補正方法】変更
【補正の内容】
【００１４】
請求項２に係る本発明の遊技機は、遊技として、少なくとも通常遊技と、該通常遊技より有利な有利遊技が存在する遊技機において、外周面に複数種類の図柄が配置された複数の回胴と、遊技毎に、開始操作により抽選条件が成立すると、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、操作時間当てゲームの正解時間範囲を決定する決定手段と、計時条件の成立から、前記停止スイッチが操作されるまでの操作時間を計時する計時手段と、を具備し、前記遊技実行手段は、前記有利遊技において前記操作時間当てゲームを実行した場合、前記操作時間と前記正解時間範囲との関係が付与条件を満たすとき、前記有利遊技を行う権利を付与可能であることを特徴とする。
【手続補正４】
【補正対象書類名】明細書
【補正対象項目名】００１５
【補正方法】変更
【補正の内容】
【００１５】
請求項３に係る本発明の遊技機は、遊技として、少なくとも通常遊技と、該通常遊技より有利な有利遊技が存在する遊技機において、外周面に複数種類の図柄が配置された複数の回胴と、遊技毎に、開始操作により抽選条件が成立すると、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、操作時間当てゲームの正解時間範囲を決定する決定手段と、計時条件の成立から、前記停止スイッチが操作されるまでの操作時間を計時する計時手段と、を具備し、前記遊技実行手段は、前記有利遊技において前記操作時間当てゲームを実行した場合、前記操作時間と前記正解時間範囲との関係が付与条件を満たすとき、前記有利遊技の上乗せ量を付与可能であることを特徴とする。